【手続補正書】
【提出日】平成20年2月4日(2008.2.4)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、正の屈折力の第３レンズ群、最も像側に配置された正の屈折力のレンズ群を含む後群より構成され、ズーミングに際して該第２レンズ群と該後群に含まれる少なくとも１つのレンズ群とが移動するズームレンズであって、
該第３レンズ群は、アッベ数と部分分散比を各々ν３ｐ，θｇＦ３ｐとするとき、
ν３ｐ・θｇＦ３ｐ  ＞  ３８
なる条件を満足する材料で構成された正レンズと、その物体側に配置された負レンズとを有し、
該最も像側に配置された正の屈折力のレンズ群は、アッベ数と部分分散比を各々νｒｐ，θｇＦｒｐとするとき、
νｒｐ・θｇＦｒｐ＞  ３８
なる条件を満足する材料で構成された正レンズを有し、
該第３レンズ群と該第３レンズ群中の該正レンズの焦点距離を各々ｆ３、ｆ３ｐとするとき、
０．５  ＜ｆ３ｐ／ｆ３＜  ２．５
なる条件を満足することを特徴とするズームレンズ。
【請求項２】
物体側より像側へ順に、正の屈折力の第１レンズ群、負の屈折力の第２レンズ群、正の屈折力の第３レンズ群、正の屈折力の第４レンズ群より構成され、ズーミングに際して該第２レンズ群と該第４レンズ群とが移動するズームレンズであって、
該第３レンズ群は、アッベ数と部分分散比を各々ν３ｐｐ，θｇＦ３ｐｐとするとき、
ν３ｐｐ・θｇＦ３ｐｐ＞３８
なる条件を満足する材料で構成された正レンズと、その物体側に配置された負レンズとを有し、
該第４レンズ群は、アッベ数と部分分散比を各々ν４ｐｐ，θｇＦ４ｐｐとするとき、
ν４ｐｐ・θｇＦ４ｐｐ＞  ３８
なる条件を満足する材料で構成された正レンズを有し、
該第３レンズ群と該第３レンズ群中の該正レンズの焦点距離を各々ｆ３，ｆ３ｐｐとするとき、
０．５  ＜ｆ３ｐｐ／ｆ３＜  ０．８
なる条件を満足することを特徴とするズームレンズ。
【請求項３】
前記第４レンズ群と前記第４レンズ群中の正レンズの焦点距離を各々ｆ４，ｆ４ｐｐとするとき
０．９＜ｆ４ｐｐ／ｆ４＜１．５
なる条件を満足することを特徴とする請求項２のズームレンズ。
【請求項４】
前記第３レンズ群は、負レンズとその像側に配置された正レンズとを接合した接合レンズ、又は単一の負レンズより成る負の屈折力のレンズ成分を有することを特徴とする請求項２又は３のズームレンズ。
【請求項５】
前記第４レンズ群は、物体側より像側へ順に、正レンズ、負レンズと正レンズとを接合した接合レンズを有することを特徴とする請求項２から４のいずれか１項のズームレンズ。
【請求項６】
物体側より像側へ順に、正の屈折力の第１レンズ群、負の屈折力の第２レンズ群、正の屈折力の第３レンズ群、負の屈折力の第４レンズ群、正の屈折力の第５レンズ群より構成され、ズーミングに際して該第２レンズ群と該第４レンズ群とが移動するズームレンズであって、
該第３レンズ群は、アッベ数と部分分散比を各々ν３３，θｇＦ３３とするとき、
ν３３・θｇＦ３３  ＞  ３８
なる条件を満足する材料で構成された正レンズと、その物体側に配置された負レンズを有し、
該第５レンズ群は、アッベ数と部分分散比を各々ν５ｐｐ，θｇＦ５ｐｐとするとき、
ν５ｐｐ・θｇＦ５ｐｐ＞  ３８
なる条件を満足する材料で構成された正レンズを有し、
該第３レンズ群と該第３レンズ群中の該正レンズの焦点距離を各々ｆ３，ｆ３３とするとき、
１．０  ＜ｆ３３／ｆ３＜  ２．５
なる条件を満足することを特徴とするズームレンズ。
【請求項７】
前記第５レンズ群と前記第５レンズ群中の前記正レンズの焦点距離を各々ｆ５、ｆ５ｐｐとするとき
０．８＜ｆ５ｐｐ／ｆ５＜１．３
なる条件を満足することを特徴とする請求項６のズームレンズ。
【請求項８】
前記第５レンズ群は、物体側より像側へ順に、正レンズ、負レンズと正レンズとを接合した接合レンズを有することを特徴とする請求項６又は７のズームレンズ。
【請求項９】
前記第１レンズ群に含まれる全ての正レンズは、それを構成する材料のアッベ数と部分分散比を各々ν１ｐｐ、θｇＦ１ｐｐとするとき
ν１ｐｐ・θｇＦ１ｐｐ＜３８
なる条件を満足することを特徴とする請求項１から８のいずれか１項のズームレンズ。
【請求項１０】
固体撮像素子に像を形成することを特徴とする請求項１から９のいずれか１項に記載のズームレンズ。
【請求項１１】
請求項１から１０のいずれか１項に記載のズームレンズと、該ズームレンズによって形成された像を受光する固体撮像素子を有することを特徴とする撮像装置。
【手続補正２】
【補正対象書類名】明細書
【補正対象項目名】００２１
【補正方法】変更
【補正の内容】
【００２１】
本発明のズームレンズは、
・物体側より像側へ順に、正の屈折力の第１レンズ群、負の屈折力の第２レンズ群、正の屈折力の第３レンズ群、最も像側に配置された正の屈折力のレンズ群を含む後群より構成され、ズーミングに際して該第２レンズ群と該後群に含まれる少なくとも１つのレンズ群とが移動するズームレンズであって、
該第３レンズ群は、アッベ数と部分分散比を各々ν３ｐ，θｇＦ３ｐとするとき、
ν３ｐ・θｇＦ３ｐ  ＞  ３８
なる条件を満足する材料で構成された正レンズと、その物体側に配置された負レンズとを有し、
該最も像側に配置された正の屈折力のレンズ群は、アッベ数と部分分散比を各々νｒｐ，θｇＦｒｐとするとき、
νｒｐ・θｇＦｒｐ＞  ３８
なる条件を満足する材料で構成された正レンズを有し、
該第３レンズ群と該第３レンズ群中の該正レンズの焦点距離を各々ｆ３、ｆ３ｐとするとき、
０．５  ＜ｆ３ｐ／ｆ３＜  ２．５
なる条件を満足することを特徴としている。
【手続補正３】
【補正対象書類名】明細書
【補正対象項目名】００２２
【補正方法】変更
【補正の内容】
【００２２】
この他本発明のズームレンズは、
・物体側より像側へ順に、正の屈折力の第１レンズ群、負の屈折力の第２レンズ群、正の屈折力の第３レンズ群、正の屈折力の第４レンズ群より構成され、ズーミングに際して該第２レンズ群と該第４レンズ群とが移動するズームレンズであって、
該第３レンズ群は、アッベ数と部分分散比を各々ν３ｐｐ，θｇＦ３ｐｐとするとき、
ν３ｐｐ・θｇＦ３ｐｐ＞３８
なる条件を満足する材料で構成された正レンズと、その物体側に配置された負レンズとを有し、
該第４レンズ群は、アッベ数と部分分散比を各々ν４ｐｐ，θｇＦ４ｐｐとするとき、
ν４ｐｐ・θｇＦ４ｐｐ＞  ３８
なる条件を満足する材料で構成された正レンズを有し、
該第３レンズ群と該第３レンズ群中の該正レンズの焦点距離を各々ｆ３，ｆ３ｐｐとするとき、
０．５  ＜ｆ３ｐｐ／ｆ３＜  ０．８
なる条件を満足することを特徴としている。
【手続補正４】
【補正対象書類名】明細書
【補正対象項目名】００２３
【補正方法】変更
【補正の内容】
【００２３】
この他本発明のズームレンズは、
・物体側より像側へ順に、正の屈折力の第１レンズ群、負の屈折力の第２レンズ群、正の屈折力の第３レンズ群、負の屈折力の第４レンズ群、正の屈折力の第５レンズ群より構成され、ズーミングに際して該第２レンズ群と該第４レンズ群とが移動するズームレンズであって、
該第３レンズ群は、アッベ数と部分分散比を各々ν３３，θｇＦ３３とするとき、
ν３３・θｇＦ３３  ＞  ３８
なる条件を満足する材料で構成された正レンズと、その物体側に配置された負レンズを有し、
該第５レンズ群は、アッベ数と部分分散比を各々ν５ｐｐ，θｇＦ５ｐｐとするとき、
ν５ｐｐ・θｇＦ５ｐｐ＞  ３８
なる条件を満足する材料で構成された正レンズを有し、
該第３レンズ群と該第３レンズ群中の該正レンズの焦点距離を各々ｆ３，ｆ３３とするとき、
１．０  ＜ｆ３３／ｆ３＜  ２．５
なる条件を満足することを特徴としている。